(57)【要約】【課題】特殊再生動作時や狭トラックピッチ化が行われても、記録されている信号を正しく再生する。【解決手段】１トラックに対して例えば２つの再生ヘッド５０−１，５０−２をトラック幅方向に位置をずらして設ける。目的のトラックに対するオフトラック量に応じて再生ヘッド５０−１，５０−２をトラック幅方向に駆動部８０で駆動する。信号選択器７３は、Ｃ１訂正器６２−１，６２−２の誤り訂正結果や、再生ヘッド５０−１，５０−２の出力レベルに基づき、目的のトラックのトレース状態が適正な再生ヘッドを判別し、判別した再生ヘッドで得られた信号をＣ２訂正器７０に供給して出力信号を生成させる。１つの再生ヘッドで目的のトラックをトレースする場合よりもオフトラック余裕が広くなり、特殊再生動作時や狭トラックピッチ化が行われても、記録されている信号を正しく再生できる。【選択図】        図４
2004310865.tif 000002
【特許請求の範囲】
【請求項１】
１トラックに対して複数の再生ヘッドがトラック幅方向に位置をずらして設けられているヘッドアセンブリと、
目的のトラックに対するオフトラック量に応じて前記ヘッドアセンブリを前記トラック幅方向に駆動する駆動手段と、
前記複数の再生ヘッドで得られた信号を用いて前記複数の再生ヘッドから前記目的のトラックのトレース状態が適正な再生ヘッドを判別し、該判別した再生ヘッドで得られた信号を用いて出力信号を生成させる再生信号処理手段を有する
ことを特徴とする記録信号再生装置。
【請求項２】
前記再生信号処理手段は、前記複数の再生ヘッドで得られた信号から生成したデータの誤り訂正を行い、該誤り訂正が可能であるとき前記目的のトラックのトレース状態が適正な再生ヘッドと判別する
ことを特徴とする請求項１記載の記録信号再生装置。
【請求項３】
前記再生信号処理手段は、内符号パリティを用いて誤り訂正を行う
ことを特徴とする請求項２記載の記録信号再生装置。
【請求項４】
前記再生信号処理手段は、前記複数の再生ヘッドで得られた信号から前記再生ヘッドの出力レベルを判別して、該出力レベルが所定値よりも大きくなるとき前記目的のトラックのトレース状態が適正な再生ヘッドと判別する
ことを特徴とする請求項１記載の記録信号再生装置。
【請求項５】
前記再生信号処理手段は、前記複数の再生ヘッドで得られた信号から前記再生ヘッドの出力レベルを判別して、出力レベルが最も大きい再生ヘッドを、前記目的のトラックのトレース状態が適正な再生ヘッドと判別する
ことを特徴とする請求項１記載の記録信号再生装置。
【請求項６】
１トラックに対して複数の再生ヘッドをトラック幅方向に位置をずらして設けてヘッドアセンブリとし、
目的のトラックに対するオフトラック量に応じて前記ヘッドアセンブリを前記トラック幅方向に駆動するものとし、
前記複数の再生ヘッドで得られた信号を用いて前記複数の再生ヘッドから前記目的のトラックのトレース状態が適正な再生ヘッドを判別し、該判別した再生ヘッドで得られた信号を用いて前記出力信号を生成させる
ことを特徴とする記録信号再生方法。
【請求項７】
前記複数の再生ヘッドで得られた信号から生成したデータの誤り訂正を行い、該誤り訂正が可能であるとき前記目的のトラックのトレース状態が適正な再生ヘッドと判別する
ことを特徴とする請求項６記載の記録信号再生方法。
【請求項８】
前記再生信号処理手段は、内符号パリティを用いて誤り訂正を行う
ことを特徴とする請求項７記載の記録信号再生方法。
【請求項９】
前記複数の再生ヘッドで得られた信号から前記再生ヘッドの出力レベルを判別して、該出力レベルが所定値よりも大きくなるとき前記目的のトラックのトレース状態が適正な再生ヘッドと判別する
ことを特徴とする請求項６記載の記録信号再生方法。
【請求項１０】
前記複数の再生ヘッドで得られた信号から前記再生ヘッドの出力レベルを判別して、出力レベルが最も大きい再生ヘッドを、前記目的のトラックのトレース状態が適正な再生ヘッドと判別する
ことを特徴とする請求項６記載の記録信号再生方法。
【発明の詳細な説明】
【０００１】
【発明の属する技術分野】
この発明は、記録信号再生装置および記録信号再生方法に関する。詳しくは、１トラックに対して複数の再生ヘッドをトラック幅方向に位置をずらして設けてヘッドアセンブリとし、目的のトラックに対するオフトラック量に応じてヘッドアセンブリを前記トラック幅方向に駆動するものとし、複数の再生ヘッドから目的のトラックのトレース状態が適正な再生ヘッドを判別して、この判別した再生ヘッドで得られた信号を用いて出力信号を生成させるものである。
【０００２】
【従来の技術】
記録信号再生装置、例えば磁気テープに記録された信号を再生できるビデオテープレコーダでは、記録密度を向上させるための１つの手段として、狭トラックピッチ化が進められている。狭トラックピッチ化が進むにしたがって、記録されたトラックを再生ヘッドで高精度にトレースさせる必要がある。ここで、再生ヘッドでトラックをトレースして記録されている信号を読み出す際に、トラックずれに対する余裕度が少ないと、記録されている信号を正しく読み出すことができなくなってしまう。このため、例えば特許文献１に示す磁気記録再生装置のように、記録ヘッドのトラック幅より大きいトラック幅を有する同じアジマスのペアヘッドを構成する２個で１組の再生ヘッドを備え、これら２個で１組の再生ヘッドをトラック幅方向に一部が重なる範囲内の段差を有する状態で、１つのトラックを同時に読み取ることで、オフトラック（目的のトラックに対するトレース位置のずれ）に対する余裕度を高めることが行われている。
【０００３】
【特許文献１】
特開平８−２９７８２１号公報
【０００４】
【発明が解決しようとする課題】
ところで、２個で１組の再生ヘッドを備えるものとしても、特殊再生動作時、すなわち１倍速再生時よりも高速あるいは低速での再生時には、テープ走行方向に対するトラックの角度とトレースの角度が異なるため、オフトラックに対する余裕度が十分でなく、狭トラックピッチ化に伴い余裕度が更に少なくなってしまう。
【０００５】
そこで、この発明では、特殊再生動作時や狭トラックピッチ化が行われても、記録されている信号を正しく再生できる記録信号再生装置および記録信号再生方法を提供するものである。
【０００６】
【課題を解決するための手段】
この発明に係る記録信号再生装置は、１トラックに対して複数の再生ヘッドがトラック幅方向に位置をずらして設けられているヘッドアセンブリと、目的のトラックに対するオフトラック量に応じて前記ヘッドアセンブリを前記トラック幅方向に駆動する駆動手段と、前記複数の再生ヘッドで得られた信号を用いて前記複数の再生ヘッドから前記目的のトラックのトレース状態が適正な再生ヘッドを判別し、該判別した再生ヘッドで得られた信号を用いて出力信号を生成させる再生信号処理手段を有するものである。
【０００７】
また、記録信号再生方法は、１トラックに対して複数の再生ヘッドをトラック幅方向に位置をずらして設けてヘッドアセンブリとし、目的のトラックに対するオフトラック量に応じて前記ヘッドアセンブリを前記トラック幅方向に駆動するものとし、前記複数の再生ヘッドで得られた信号を用いて前記複数の再生ヘッドから前記目的のトラックのトレース状態が適正な再生ヘッドを判別し、該判別した再生ヘッドで得られた信号を用いて前記出力信号を生成させるものである。
【０００８】
この発明においては、１トラックに対して複数の再生ヘッドをトラック幅方向に位置をずらして設けてヘッドアセンブリとし、目的のトラックに対するオフトラック量に応じてヘッドアセンブリをトラック幅方向に駆動される。ここで、再生ヘッドで得られた信号から生成したデータに対して例えば内符号パリティを用いて誤り訂正を行い、誤り訂正が可能であるとき、この再生ヘッダを目的のトラックのトレース状態が適正な再生ヘッドと判別して、再生ヘッドで得られた信号を用いて出力信号が生成される。あるいは、複数の再生ヘッドで得られた信号から再生ヘッドの出力レベルが判別されて、出力レベルが所定値よりも大きくなる再生ヘッドや出力レベルが最も大きくなる再生ヘッドを目的のトラックのトレース状態が適正な再生ヘッドと判別して、この判別された再生ヘッドで得られた信号を用いて出力信号が生成される。
【０００９】
【発明の実施の形態】
以下、図を参照しながら、この発明の実施の一形態について説明する。図１は、この発明の記録信号再生装置で用いられるヘッドアセンブリ１０を示している。ヘッドアセンブリ１０では、１つのトラックＴＲＡに対して複数の再生ヘッドがトラック幅方向に位置をずらして設けられる。例えば、トラックＴＲＡに対して再生ヘッド１０−１と再生ヘッド１０−２が設けられると共に、再生ヘッド１０−２は、再生ヘッド１０−１に対してトラックＴＲＡの幅方向に位置をずらして設けられている。なお、ヘッドアセンブリ１０は、１つの再生ヘッド内に複数のヘッドギャップをトラック幅方向に位置をずらして形成するものとしても良く、以下の説明では、再生ヘッドを複数設けた場合について説明している。
【００１０】
このヘッドアセンブリ１０は、圧電素子などのアクチュエータを介して取り付けられており、アクチュエータによってトラック幅方向に駆動される。このようにトラック幅方向に駆動される再生ヘッドは所謂ダイナミックトラッキングヘッド（ＤＴヘッド）と呼ばれている。このＤＴヘッドは、オフトラック量に応じて生成された駆動信号に基づきアクチュエータによってトラック幅方向に駆動されて、特殊再生動作時であっても再生ヘッドが目的のトラックを正しくトレースして、ノイズレス再生が可能なものとされる。
【００１１】
再生ヘッド１０−１，１０−２におけるヘッドギャップのトラック幅Ｗｒは、トラックＴＲＡのトラック幅Ｗｔに比べて広く構成されている。再生ヘッド１０−１に対する再生ヘッド１０−２のトラック幅方向のずれ量は、再生ヘッド１０−１のトレース位置がトラック幅方向に位置ずれを生じて、トラックＴＲＡの信号を正しく再生できなくなっても、再生ヘッド１０−２によってトラックＴＲＡをトレースして、トラックＴＲＡの信号を正しく再生できるように設定する。
【００１２】
図２は、再生ヘッドの出力レベルとオフトラック量の関係を示している。ここで、説明を簡単とするため、図２Ｂに示すように再生ヘッド１０−１の中心とトラックＴＲＡの中心が等しいときの位置をオフトラック量「０」と仮定する。
【００１３】
オフトラック量が「０」であるとき、再生ヘッド１０−１の出力レベルは、図２Ａに示すようにレベルＬ１となる。ここで、トラックＴＲＡの位置が再生ヘッド１０−１に対して矢印ａ方向に位置ずれを生じて、図２Ｃに示すオフトラック量ＰＥ１よりも大きくなると、トラックＴＲＡが再生ヘッド１０−１から外れてしまうため、図２Ａに示すように、オフトラック量の増加に伴い、再生ヘッド１０−１の出力レベルが低下する。同様に、トラックＴＲＡの位置が再生ヘッド１０−１に対して矢印ａ方向とは逆方向である矢印ｂ方向に位置ずれを生じて、図２Ｄに示すオフトラック量ＰＥ１よりも大きくなると、トラックＴＲＡが再生ヘッド１０−１から外れてしまうため、図２Ａに示すように、オフトラック量の増加に伴い、再生ヘッド１０−１の出力レベルが低下する。
【００１４】
次に、図２Ｅに示すようにオフトラック量がＰＥ２となって、再生ヘッド１０−１にかかるトラック幅と再生ヘッド１０−２にかかるトラック幅が略等しくなると、再生ヘッド１０−１，１０−２の出力特性が等しいとき、図２Ａに示すように出力レベルが等しくなる。
【００１５】
トラックＴＲＡが更に矢印ｂ方向に移動して、図２Ｆに示すオフトラック量がＰＥ３よりも大きくなると、トラックＴＲＡが再生ヘッド１０−２から外れることとなるため、図２Ａに示すように、オフトラック量の増加に伴い、再生ヘッド１０−２の出力レベルが低下する。
【００１６】
このため、例えば出力レベルが「Ｌ２」よりも大きくなるオフトラック範囲をオフトラック余裕としたとき、再生ヘッド１０−１とトラック幅方向に位置をずらした再生ヘッド１０−２を設けるものとして、目的のトラックを再生しているときの出力レベルが「Ｌ２」よりも大きくなる再生ヘッドを、トレース状態が適正な再生ヘッドとして、この再生ヘッドで得られた信号を選択して用いる。このときのオフセット余裕は「Ｑｄ」となり、１つの再生ヘッドを用いるときのオフトラック余裕「Ｑｓ」よりも、オフセット余裕を広げることができる。
【００１７】
また、図２Ｅに示すように、再生ヘッド１０−１と再生ヘッド１０−２のそれぞれにかかるトラック幅が略等しくなったときの出力レベルがレベル「Ｌ２」となるように再生ヘッドの位置ずらし量を設定すれば、オフトラック余裕を最大に設定することも可能となる。また、再生ヘッド１０−１と再生ヘッド１０−２のそれぞれにかかるトラック幅が略等しくなる位置をオフトラック量「０」とすることで、トラックＴＲＡの矢印ａ方向の位置ずれに対するオフトラック余裕と矢印ｂ方向の位置ずれに対するオフトラック余裕をほぼ等しくすることができる。
【００１８】
図３は、再生ヘッド１０−１と再生ヘッド１０−２でトラックＴＲＡを再生したときのトラック再生状態を示しており、図３Ａは、トラックＴＲＡと再生ヘッド１０−１，１０−２を模式的に示したものである。このように曲がりを生じたトラックＴＲＡを再生ヘッド１０−１で再生したとき、再生ヘッド１０−１の出力レベルは、図３Ｂに示すものとなる。すなわち、再生ヘッド１０−１の出力レベルは、トレースされるトラックＴＲＡの幅に応じたレベルとなる。また、トラックＴＲＡを再生ヘッド１０−２で再生したとき、再生ヘッド１０−２の出力レベルは、図３Ｃに示すものとなる。すなわち、再生ヘッド１０−２の出力レベルは、トレースされるトラックＴＲＡの幅に応じたレベルとなる。このため、再生ヘッド１０−１，１０−２の出力レベルに基づいて、トラックＴＲＡのトレース状態が適正な再生ヘッドを判別し、この適正な再生ヘッドと判別された再生ヘッドで得られた再生信号を順次選択することで、オフトラック余裕の広い記録信号再生装置を得ることができる。
【００１９】
ここで、複数の再生ヘッドでトレースされるトラックは、記録媒体の駆動方向に形成されたトラック例えば磁気テープの長手方向に形成されたトラック、あるいは駆動方向に対して傾斜して形成されたトラック例えばビデオテープレコーダのようにヘリカルスキャン方式で磁気テープに形成された傾斜トラック等であっても良い。
【００２０】
図４は、この発明に係る記録信号再生装置をビデオテープレコーダに適用した場合の構成を示している。
【００２１】
ディジタルの記録ビデオ信号ＤＶｗは、ビデオ圧縮器２０で例えばＭＰＥＧ（Ｍｏｖｉｎｇ  Ｐｉｃｔｕｒｅ  Ｅｘｐｅｒｔｓ  Ｇｒｏｕｐ）方式で圧縮されて、符号化データＤＰｗとしてパリティ付加器２５に供給される。
【００２２】
パリティ付加器２５は、符号化データＤＰｗに対して誤り訂正符号を生成して付加する。例えば、符号長が「Ｎｃ」，情報数が「ＫＮｃ」のリード・ソロモン符号を内符号パリティＣ１として生成すると共に、符号長が「Ｍｃ」，情報数が「ＫＭｃ」のリード・ソロモン符号を外符号パリティＣ２として生成するとき、符号化データＤＰｗをメモリ（図示せず）の水平方向に符号長「ＫＮｃ」分だけ書き込み、符号長「ＫＮｃ」分の書き込みが行われる毎に、書き込み位置を垂直方向に移動させて、水平方向が符号長「ＫＮｃ」分，垂直方向が符号長「ＫＭｃ」分のデータ書き込みを行う。その後、メモリのデータを垂直方向に順次読み出して外符号パリティＣ２を算出する。次に、メモリのデータを水平方向に順次読み出して内符号パリティＣ１を算出する。また、垂直方向毎に生成されている情報数「ＫＭｃ」の外符号パリティＣ２を水平方向に読み出して外符号パリティＣ２に対する内符号パリティＣ１を生成する。このようにして生成した内符号パリティＣ１，外符号パリティＣ２を符号化データＤＰｗに付加して、符号化データＤＱｗを生成する。
【００２３】
記録部３０は、パリティ付加器２５で生成された符号化データＤＱｗに同期符号や識別符号を付加して、トラック毎の記録データを生成する。この識別符号は、個々のトラックを判別可能とするために設定されたトラック識別情報や、トラックがいずれのセグメントに属しているかを判別可能とするために設定されたセグメント識別情報等からなるものである。さらに、記録部３０は記録データのチャネルコーディングを行い、得られた信号を記録電流ＷＳに変換して、回転ドラムに搭載された記録ヘッド３５に供給する。
【００２４】
記録ヘッド３５は、ヘリカルスキャン方式で磁気テープ４０への信号記録を行いトラックＴＲＡを形成する。なお、トラックＴＲＡと隣接するトラックは、所定のアジマス角を有するものである。
【００２５】
磁気テープ４０に記録されている信号は、上述したように圧電素子などのアクチュエータ（図示せず）を介して回転ドラム（図示せず）に取り付けられたＤＴヘッド５０によって読み出される。ここで、ＤＴヘッド５０は、上述したように１つのトラックに対して例えば２つの再生ヘッド５０−１，５０−２がトラック幅方向に位置をずらして設けられる。また、目的のトラックに対するオフトラック量に応じて駆動部８０のアクチュエータが駆動されて、特殊再生動作時であっても目的のトラックをトレースできるように再生ヘッド５０−１，５０−２がトラック幅方向に駆動される。
【００２６】
再生ヘッド５０−１で得られた再生信号ＲＳ−１は、再生信号処理部６０の復号回路６１−１に供給される。復号回路６１−１では、再生信号ＲＳ−１の振幅や位相を調整して波形整形を行い、さらに記録部３０で行われるチャネルコーディングに対応した復号処理を行って再生データＲＤ−１を生成する。この再生データＲＤ−１は、Ｃ１訂正器６２−１に供給される。
【００２７】
再生ヘッド５０−２で得られた再生信号ＲＳ−２は、再生信号処理部６０の復号回路６１−２に供給される。復号回路６１−２は、復号回路６１−１と同様に、再生信号ＲＳ−２の振幅や位相を調整して波形整形を行い、さらに復号処理を行って再生データＲＤ−２を生成する。この再生データＲＤ−２は、Ｃ１訂正器６２−２に供給される。
【００２８】
Ｃ１訂正器６２−１は、再生データＲＤ−１を構成する符号化データＤＱｒ−１に含まれた内符号パリティＣ１を用いて誤り訂正を行い、誤り訂正結果ＣＫ−１を信号選択器６３に通知する。また、誤り訂正後の符号化データＤＱｒ−１を信号選択器６３に供給する。なお、誤り訂正結果ＣＫ−１の通知では、誤り訂正結果ＣＫ−１を再生データＲＤ−１に埋め込んで信号選択器６３に供給すれば、１つの信号ストリームとして、誤り訂正結果ＣＫ−１と誤り訂正後の符号化データＤＱｒ−１を信号選択器６３に供給できる。
【００２９】
Ｃ１訂正器６２−２は、Ｃ１訂正器６２−１と同様に、再生データＲＤ−２を構成する符号化データＤＱｒ−２に含まれている内符号パリティＣ１を用いて誤り訂正を行い、誤り訂正結果ＣＫ−２を信号選択器６３に通知する。また、誤り訂正が行われた符号化データＤＱｒ−２を信号選択器６３に供給する。
【００３０】
信号選択器６３は、Ｃ１訂正器６２−１，６２−２から供給された誤り訂正結果ＣＫ−１，ＣＫ−２を利用して、誤り訂正後の符号化データＤＱｒ−１，ＤＱｒ−２の選択を行い、符号化データＤＱＣｒとしてＣ２訂正器７０に供給する。図５は、再生信号処理部６０の動作を説明するための図であり、図５Ａは再生ヘッド５０−１の出力レベル、図５Ｂは再生ヘッド５０−２の出力レベルを示している。また、図５Ｃは符号化データＤＱｒ−１に含まれている内符号パリティＣ１を用いた誤り訂正結果ＣＫ−１を示しており、図５Ｄは符号化データＤＱｒ−２に含まれている内符号パリティＣ１を用いた誤り訂正結果ＣＫ−２を示している。
【００３１】
信号選択器６３は、誤り訂正が可能であったことを示す通知を行ったＣ１訂正器側の再生ヘッドを、目的のトラックのトレース状態が適正な再生ヘッドとして、この再生ヘッドで得られた再生信号に基づく符号化データを選択して符号化データＤＱＣｒとしてＣ２訂正器７０に供給する。例えば図５Ｅに示すように、誤り訂正が可能であったことを示す通知「ＯＫ」が行われたとき、この通知を行ったＣ１訂正器から供給された符号化データを順次選択して符号化データＤＱＣｒとしてＣ２訂正器７０に供給する。また、誤り訂正が不能であったことを示す通知「ＮＧ」が行われたときは、例えばＣ２訂正器７０に対する符号化データＤＱＣｒの供給を停止して、誤りを有している符号化データＤＱＣｒがＣ２訂正器７０に供給されてしまうことを防止する。
【００３２】
また、再生信号処理部６０は、符号化データＤＱｒに含まれている内符号パリティＣ１を用いた誤り訂正の結果に基づいて信号の選択を行うだけでなく、上述したように再生ヘッド５０−１，５０−２の出力レベルに基づいて信号の選択を行うこともできる。すなわち、復号回路６１−１は、再生ヘッド５０−１の出力レベルＬＶ−１を判別して信号選択器６３に通知する。また、復号回路６１−２は、再生ヘッド５０−２の出力レベルＬＶ−２を判別して信号選択器６３に通知する。信号選択器６３は、通知された出力レベルＬＶ−１，ＬＶ−２に基づいて、Ｃ２訂正器７０に供給する符号化データＤＱｒの選択を行う。例えば、出力レベルＬＶ−１，ＬＶ−２を比較して、出力レベルの大きい再生ヘッドを判別して、この判別された再生ヘッドからの信号に基づいて生成した符号化データをＣ２訂正器７０に供給する。また、この判別された再生ヘッドからの信号に基づいて生成した符号化データに対して誤り訂正が可能であったことを確認してからＣ２訂正器７０に供給すれば、より正しい符号化データをＣ２訂正器７０に供給できる。また、出力レベルＬＶ−１，ＬＶ−２が所定レベルに達したか否かを判別して、所定レベルに達した再生ヘッドからの信号に基づいて生成した符号化データを信号選択器６３で選択してＣ２訂正器に供給するものとしても良い。
【００３３】
Ｃ２訂正器７０は、符号化データＤＱＣｒに含まれている外符号パリティＣ２を用いて誤り訂正を行い、誤り訂正後の符号化データＤＰｒをビデオ伸長器７５に供給する。ビデオ伸長器７５は、供給された符号化データＤＰｒの復号化を行い、ディジタルの再生ビデオ信号ＤＶｒとして出力する。
【００３４】
なお、図４では目的のトラックのトレース状態が適正であると判別された再生ヘッドで得られた信号を用いて、再生ビデオ信号ＤＶｒを出力されるものとしたが、出力信号は誤り訂正後の信号や復号化が行われた信号に限られるものでないことは勿論である。
【００３５】
このように、１つのトラックに対して複数の再生ヘッドを設けてヘッドアセンブリとしてＤＴヘッドを構成することで、ノイズレスの特殊再生機能を維持しながら、オフトラック余裕を拡大することが可能となり、狭トラックピッチ化が図られてもトラックずれやトラック曲がり等によるエラーの発生を抑制できる。
【００３６】
さらに、上述の実施の形態では、一度に１つのトラックをトレースする場合を説明したが、一度に複数のトラックをトレースする場合、例えば図６に示すように４つのトラックを同時にトレースする場合、トラック毎に複数の再生ヘッドをトラック幅方向に位置をずらして設けるものとすれば良い。すなわち、トラックＴＲＡに対応させて再生ヘッド５０ａ−１，５０ａ−２、トラックＴＲＢに対応させて再生ヘッド５０ｂ−１，５０ｂ−２、トラックＴＲＣに対応させて再生ヘッド５０ｃ−１，５０ｃ−２、トラックＴＲＤに対応させて再生ヘッド５０ｄ−１，５０ｄ−２を設ける。さらに、オフトラック量に応じてアクチュエータを駆動して、再生ヘッド５０ａ−１，５０ａ−２，５０ｂ−１，５０ｂ−２，５０ｃ−１，５０ｃ−２，５０ｄ−１，５０ｄ−２をトラック幅方向に駆動することで、複数のトラックを同時にトレースする場合であっても、１つのトラックをトレースする場合と同様にオフトラック余裕を拡大してエラーを抑制できる。
【００３７】
【発明の効果】
この発明によれば、１トラックに対して複数の再生ヘッドをトラック幅方向に位置をずらして設けてヘッドアセンブリが構成されて、目的のトラックに対するオフトラック量に応じてヘッドアセンブリがトラック幅方向に駆動される。この複数の再生ヘッドで得られた信号を用いて前記複数の再生ヘッドから目的のトラックのトレース状態が適正な再生ヘッドが判別されて、判別された再生ヘッドで得られた信号を用いて出力信号が生成される。このため、１つの再生ヘッドで目的のトラックをトレースする場合に比べてオフトラック余裕を広くすることが可能となり、狭トラック化がはかられても特殊再生機能を維持しながら目的のトラックを正しく再生できる。
【図面の簡単な説明】
【図１】ヘッドアセンブリの構成を示す図である。
【図２】再生ヘッドの出力レベルとオフトラック量の関係を示す図である。
【図３】トラック再生状態を説明するための図である。
【図４】ビデオテープレコーダの構成を示す図である。
【図５】再生信号処理部の動作を説明するための図である。
【図６】複数のトラックを同時にトレースする場合を示す図である。
【符号の説明】
１０・・・ヘッドアセンブリ、１０−１，１０−２，５０−１，５０−２，５０ａ−１，５０ａ−２，５０ｂ−１，５０ｂ−２，５０ｃ−１，５０ｃ−２，５０ｄ−１，５０ｄ−２・・・再生ヘッド、２０・・・ビデオ圧縮器、２５・・・パリティ付加器、３０・・・記録部、３５・・・記録ヘッド、４０・・・磁気テープ、５０・・・ＤＴヘッド、６０・・・再生信号処理部、６１−１，６１−２・・・復号回路、６２−１，６１−２・・・Ｃ１訂正器、６３・・・信号選択器、７０・・・Ｃ２訂正器、７５・・・ビデオ伸長器、８０・・・駆動部
【図１】
2004310865.tif 000003
【図２】
2004310865.tif 000004
【図３】
2004310865.tif 000005
【図４】
2004310865.tif 000006
【図５】
2004310865.tif 000007
【図６】
2004310865.tif 000008